(57)【要約】【課題】データドライバを構成する定電流源のバラツキによる輝度傾斜の発生を補正することができる発光表示パネルの駆動装置を提供すること。【解決手段】表示パネル１に配列された走査線Ｋ１  〜Ｋｍ  の各端部にそれぞれ接続された第１走査ドライバ３Ａおよび第２走査ドライバ３Ｂが、同期して各走査線を走査するようになされる。前記各走査ドライバ３Ａ，３Ｂにより走査される走査線の各端部には、第１および第２の走査電位供給手段１１，１２からもたらされる走査電位ＢＬ  ，ＢＲ  が印加され、走査状態における走査線の各端部間に電位差が与えられる。これにより、データドライバに配置された定電流源の電流値のバラツキに起因して発生する輝度傾斜を補正することができる。【選択図】      図２
2005003837.tif 000002
【特許請求の範囲】
【請求項１】
互いに交差する複数のデータ線および複数の走査線と、前記各データ線および各走査線との交差位置において、前記データ線と各走査線との間にそれぞれ接続された発光素子を備えた発光表示パネルの駆動装置であって、
走査状態における前記走査線の各端部間に電位差を与える電位差付与手段が備えられていることを特徴とする発光表示パネルの駆動装置。
【請求項２】
前記電位差付与手段が、走査状態における前記走査線の一端部と基準電位点との間に介在された電圧源であることを特徴とする請求項１に記載の発光表示パネルの駆動装置。
【請求項３】
前記電位差付与手段が、走査状態における前記走査線の各端部にそれぞれ走査電位を供給する第１および第２の走査電位供給手段から成り、前記第１および第２の走査電位供給手段から供給される走査電位が異なるように構成されていることを特徴とする請求項１または請求項２に記載の発光表示パネルの駆動装置。
【請求項４】
前記電位差付与手段が、走査状態における前記走査線の各端部にそれぞれ走査電位を供給する第１および第２の走査電位供給手段から成り、前記第１および第２の走査電位供給手段のうちの少なくとも一方の走査電位が可変できるように構成されていることを特徴とする請求項１または請求項２に記載の発光表示パネルの駆動装置。
【請求項５】
前記電位差付与手段を構成する第１および第２の走査電位供給手段は、いずれも走査電位が独立して可変できるように構成されていることを特徴とする請求項４に記載の発光表示パネルの駆動装置。
【請求項６】
前記電位差付与手段を構成する第１および第２の走査電位供給手段は、それぞれの走査電位が互いに相反して可変できるように構成されていることを特徴とする請求項４に記載の発光表示パネルの駆動装置。
【請求項７】
前記電位差付与手段を構成する第１および第２の走査電位供給手段からの各走査電位が、走査線の各端部にそれぞれ接続された第１走査ドライバおよび第２走査ドライバを介して、走査対称とする走査線に同期して供給されるように構成され、前記第１走査ドライバおよび第２走査ドライバは、非走査状態の走査線に対してダイオード特性を有する前記発光素子に対する逆バイアス電位を供給するように構成したことを特徴とする請求項３ないし請求項６のいずれかに記載の発光表示パネルの駆動装置。
【請求項８】
前記第１走査ドライバおよび第２走査ドライバの走査に同期して、走査点灯される発光素子に対応する前記データ線に対して駆動電力を供給するデータドライバが具備され、前記データドライバは前記駆動電力を供給しないデータ線に対しては、前記発光素子に対して逆バイアス電位を印加することができる電位を供給するように構成したことを特徴とする請求項７に記載の発光表示パネルの駆動装置。
【請求項９】
走査点灯される発光素子に対応するデータ線に対して駆動電力を供給する駆動電力源が、定電流源であることを特徴とする請求項８に記載の発光表示パネルの駆動装置。
【請求項１０】
前記発光表示パネルを構成する発光素子が、有機ＥＬ素子であることを特徴とする請求項１ないし請求項９のいずれかに記載の発光表示パネルの駆動装置。
【請求項１１】
互いに交差する複数のデータ線および複数の走査線と、前記各データ線および各走査線との交差位置において、前記データ線と各走査線との間にそれぞれ接続された発光素子を備えた発光表示パネルの駆動方法であって、前記表示パネルの走査線を所定の周期で走査しながら、当該走査と同期して走査状態の各発光素子の点灯または非点灯を制御すると共に、走査状態における前記走査線の各端部間には電位差が与えられることを特徴とする発光表示パネルの駆動方法。
【請求項１２】
走査状態における前記走査線の各端部間に与えられる前記電位差が、可変できることを特徴とする請求項１１に記載の発光表示パネルの駆動方法。
【発明の詳細な説明】
【０００１】
【発明の属する技術分野】
この発明は、発光素子として例えば有機ＥＬ（エレクトロルミネッセンス）素子を用いた発光表示パネルの駆動装置に関し、特に表示パネルに配列された走査線に沿う各発光素子の輝度が順に変化した状態になされるいわゆる輝度傾斜を補正することができる発光表示パネルの駆動装置に関する。
【０００２】
【従来の技術】
発光素子をマトリクス状に配列して構成した表示パネルの開発が広く進められており、このような表示パネルに用いられる発光素子として、有機材料を発光層に用いた有機ＥＬ素子が注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということができる。
【０００４】
この有機ＥＬ素子は、発光駆動電圧が印加されると、先ず、当該素子の電気容量に相当する電荷が電極に変位電流として流れ込み蓄積される。続いて当該素子固有の一定の電圧（発光閾値電圧＝Ｖｔｈ）を越えると、電極（ダイオード成分の陽極側）から発光層を構成する有機層に電流が流れ初め、この電流に比例した強度で発光すると考えることができる。
【０００５】
一方、有機ＥＬ素子は電流・輝度特性が温度変化に対して安定しているのに対して、電圧・輝度特性が温度変化に対して不安定であること、また、有機ＥＬ素子は過電流を受けた場合に、劣化が激しくなるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００６】
図１には、従来のパッシブマトリクス型表示パネルと、その駆動回路の一例が示されている。このパッシブマトリクス駆動方式における有機ＥＬ素子のドライブ方法には、陰極線走査・陽極線ドライブ、および陽極線走査・陰極線ドライブの２つの方法があるが、図１に示された構成は前者の陰極線走査・陽極線ドライブの形態を示している。すなわち、ｎ本のデータ線としての陽極線Ａ１  〜Ａｎ  が縦方向に配列され、ｍ本の走査線としての陰極線Ｋ１  〜Ｋｍ  が横方向に配列され、各々の交差した部分（計ｎ×ｍ箇所）に、ダイオードのシンボルマークで示した有機ＥＬ素子Ｅ１１〜Ｅｎｍが配置されて、表示パネル１を構成している。
【０００７】
そして、画素を構成する各ＥＬ素子Ｅ１１〜Ｅｎｍは、垂直方向に沿う陽極線Ａ１  〜Ａｎ  と水平方向に沿う陰極線Ｋ１  〜Ｋｍ  との各交点位置に対応して一端（ＥＬ素子の等価ダイオードにおける陽極端子）が陽極線に、他端（ＥＬ素子の等価ダイオードにおける陰極端子）が陰極線に接続されている。さらに、各陽極線Ａ１  〜Ａｎ  はデータドライバとしての陽極線ドライブ回路２に接続され、各陰極線Ｋ１  〜Ｋｍ  は走査ドライバとしての陰極線走査回路３に接続されてそれぞれ駆動される。
【０００８】
前記陽極線ドライブ回路２には、後述するＤＣ−ＤＣコンバータにおける昇圧回路４よりもたらされる駆動電圧Ｖｏｕｔ  を利用して動作する定電流源Ｉ１  〜Ｉｎ  およびドライブスイッチＳａ１〜Ｓａｎが備えられており、ドライブスイッチＳａ１〜Ｓａｎが、前記定電流源Ｉ１  〜Ｉｎ  側に接続されることにより、定電流源Ｉ１  〜Ｉｎ  からの電流が、陰極線に対応して配置された個々のＥＬ素子Ｅ１１〜Ｅｎｍに対して供給されるように作用する。また、前記ドライブスイッチＳａ１〜Ｓａｎは、定電流源Ｉ１  〜Ｉｎ  からの電流を個々のＥＬ素子に供給しない場合には、当該陽極線を基準電位点としてのグランド側に接続できるように構成されている。
【０００９】
また、前記陰極線走査回路３には、各陰極線Ｋ１  〜Ｋｍ  に対応して走査スイッチＳｋ１〜Ｓｋｍが備えられ、クロストーク発光を防止するための後述する逆バイアス電圧生成回路５からの逆バイアス電圧ＶＭ  または基準電位点としてのグランド電位のうちのいずれか一方を、対応する陰極線に接続するように作用する。これにより、陰極線を所定の周期で基準電位点（グランド電位）に設定しながら、所望の陽極線Ａ１  〜Ａｎ  に定電流源Ｉ１  〜Ｉｎ  を接続することにより、前記各ＥＬ素子を選択的に発光させるように作用する。
【００１０】
一方、前記したＤＣ−ＤＣコンバータは、図１に示す例においては昇圧回路４としてＰＷＭ（パルス幅変調）制御を利用し、直流の駆動電圧Ｖｏｕｔ  を生成するように構成されている。なお、このＤＣ−ＤＣコンバータは、ＰＷＭ制御に代えて周知のＰＦＭ（パルス周波数変調）制御もしくはＰＳＭ（パルススキップ変調）制御を利用することもできる。
【００１１】
このＤＣ−ＤＣコンバータは、昇圧回路４の一部を構成するスイッチングレギュレータ６から出力されるＰＷＭ波がスイッチング素子としてのＭＯＳ型パワーＦＥＴＱ１  を所定のデューティーサイクルでオン制御するように構成されている。すなわち、パワーＦＥＴＱ１  のオン動作によって、一次側のＤＣ電圧源Ｂ１  からの電力エネルギーがインダクタＬ１  に蓄積され、パワーＦＥＴＱ１  のオフ動作に伴い、前記インダクタＬ１  に蓄積された電力エネルギーは、ダイオードＤ１  を介してコンデンサＣ１  に蓄積される。そして、前記パワーＦＥＴＱ１  のオン・オフ動作の繰り返しにより、昇圧されたＤＣ出力をコンデンサＣ１  の端子電圧として得ることができる。
【００１２】
前記ＤＣ出力電圧は、温度補償を行うサーミスタＴＨ１、抵抗Ｒ１１およびＲ１２によって分圧され、スイッチングレギュレータ６における誤差増幅器７に供給され、この誤差増幅器７において基準電圧Ｖｒｅｆ  と比較される。この比較出力（誤差出力）がＰＷＭ回路８に供給され、発振器９からもたらされる信号波のデューティを制御することで、前記出力電圧を所定の駆動電圧Ｖｏｕｔ  に保持するようにフィードバック制御される。したがって、前記したＤＣ−ＤＣコンバータによる出力電圧、すなわち前記駆動電圧Ｖｏｕｔ  は、次のように示すことができる。
【００１３】
【数１】
Ｖｏｕｔ  ＝Ｖｒｅｆ  ×〔（ＴＨ１＋Ｒ１１＋Ｒ１２）／Ｒ１２〕
【００１４】
一方、前記したクロストーク発光を防止するために利用される逆バイアス電圧生成回路５は、前記駆動電圧Ｖｏｕｔ  を分圧する分圧回路により構成されている。すなわち、この分圧回路は、抵抗Ｒ１３，Ｒ１４およびエミッタフォロアとして機能するｎｐｎトランジスタＱ２  により構成されており、前記トランジスタＱ２  のエミッタにおいて逆バイアス電圧ＶＭ  を得るようにしている。したがって、前記トランジスタＱ２  におけるベース・エミッタ間電圧をＶｂｅとして表せば、この分圧回路により得られる逆バイアス電圧ＶＭ  は、次のように示すことができる。
【００１５】
【数２】
ＶＭ  ＝Ｖｏｕｔ  ×〔Ｒ１４／（Ｒ１３＋Ｒ１４）〕−Ｖｂｅ
【００１６】
なお、前記した陽極線ドライブ回路２および陰極線走査回路３には、図示せぬＣＰＵを含む発光制御回路よりコントロールバスが接続されており、表示すべき映像信号に基づいて、前記走査スイッチＳｋ１〜ＳｋｍおよびドライブスイッチＳａ１〜Ｓａｎが操作される。これにより、映像信号に基づいて陰極走査線を所定の周期でグランド電位に設定しながら所望の陽極線に対して定電流源Ｉ１  〜Ｉｎ  が接続される。したがって、前記各発光素子は選択的に発光し、これにより表示パネル１上に前記映像信号に基づく画像が表示される。
【００１７】
なお、図１に示す状態は、第１の陰極線Ｋ１  がグランド電位に設定されて走査状態になされ、この時、非走査状態の陰極線Ｋ２  〜Ｋｍ  には、前記した逆バイアス電圧生成回路５からの逆バイアス電圧ＶＭ  が印加されている。これにより、ドライブされている陽極線と走査選択がなされていない陰極線との交点に接続された各ＥＬ素子がクロストーク発光するのが防止されるように作用する。
【００１８】
以上、説明した図１に示した構成のパッシブ駆動型表示パネルと、その駆動回路については、本件出願人がすでに出願した次に示す特許文献１に開示されている。
【００１９】
【特許文献１】
特開２００３−７６３２８号公報（段落０００７〜００２０、図６）
【００２０】
【発明が解決しようとする課題】
ところで、図１に示す従来の代表的な表示パネルの駆動回路によると、ＥＬ素子を発光駆動するために定電流源Ｉ１  〜Ｉｎ  が備えられている。これらの定電流源は一般的にはＩＣチップ化されており、代表的にはカレントミラー回路等により構成される。しかしながら、前記各定電流源をＩＣチップ化する場合の製造プロセスにおいて、例えば不純物濃度等の影響を受けて定電流特性にバラツキが発生するという問題が発生する。
【００２１】
この場合、隣接する定電流源における特性の差はそれ程生じないものの、一方と他方に形成される各定電流源を比較した場合には、大きな特性の差が生ずる場合が多い。要するに前記した製造プロセスによる影響を受ける定電流特性のバラツキは、この定電流値にほぼ比例した発光輝度特性を有する前記ＥＬ素子を点灯駆動する場合において、表示パネルの走査線方向に沿つて順次輝度が変化する輝度傾斜を発生させることになる。
【００２２】
この発明は、前記したような技術的な課題に基づいてなされたものであり、前記した定電流特性のバラツキによる輝度傾斜の発生を、効果的に補正することができる発光表示パネルの駆動装置および駆動方法を提供することを目的とするものである。
【００２３】
【課題を解決するための手段】
前記した目的を達成するためになされたこの発明にかかる発光表示パネルの駆動装置は、請求項１に記載のとおり、互いに交差する複数のデータ線および複数の走査線と、前記各データ線および各走査線との交差位置において、前記データ線と各走査線との間にそれぞれ接続された発光素子を備えた発光表示パネルの駆動装置であって、走査状態における前記走査線の各端部間に電位差を与える電位差付与手段が備えられている点に特徴を有する。
【００２４】
また、前記した目的を達成するためになされたこの発明にかかる発光表示パネルの駆動方法は、請求項１１に記載のとおり、互いに交差する複数のデータ線および複数の走査線と、前記各データ線および各走査線との交差位置において、前記データ線と各走査線との間にそれぞれ接続された発光素子を備えた発光表示パネルの駆動方法であって、前記表示パネルの走査線を所定の周期で走査しながら、当該走査と同期して走査状態の各発光素子の点灯または非点灯を制御すると共に、走査状態における前記走査線の各端部間には電位差が与えられる点に特徴を有する。
【００２５】
【発明の実施の形態】
以下、この発明にかかる発光表示パネルの駆動装置について、その好ましい実施の形態を図に基づいて説明する。図２はその第１の実施の形態を示したものである。なお、図２においてはすでに説明した図１に示す各構成要素に対応する部分を同一符号で示しており、したがって、その詳細な説明は適宜省略する。
【００２６】
この図２に示す実施の形態においては、２つの走査ドライバが用いられており、これらの走査ドライバは発光表示パネル１における各走査線Ｋ１  〜Ｋｍ  の両端部にそれぞれ接続された構成にされている。すなわち、図２に示す発光表示パネル１の左側には第１走査ドライバ３Ａが配置され、発光表示パネル１の右側には第２走査ドライバ３Ｂが配置され、これらは図示せぬ発光制御回路からの指令により、同期して各走査線Ｋ１  〜Ｋｍ  を走査するように制御される。
【００２７】
第１走査ドライバ３Ａには、各走査線Ｋ１  〜Ｋｍ  に対応して走査スイッチＳｋ１Ｌ  〜ＳｋｍＬ  が備えられ、各走査線Ｋ１  〜Ｋｍ  の左端部に対して後述する第１の走査電位供給手段１１から供給される走査電位ＢＬ  、もしくは逆バイアス電圧生成回路５から供給される逆バイアス電圧ＶＭ  のいずれかが印加されるように構成されている。また、第２走査ドライバ３Ｂにも同じく、各走査線Ｋ１  〜Ｋｍ  に対応して走査スイッチＳｋ１Ｒ  〜ＳｋｍＲ  が備えられ、各走査線Ｋ１  〜Ｋｍ  の右端部に対して後述する第２の走査電位供給手段１２から供給される走査電位ＢＲ  、もしくは逆バイアス電圧生成回路５から供給される逆バイアス電圧ＶＭ  のいずれかが印加されるように構成されている。
【００２８】
なお、図２に示す状態は、走査線Ｋ１  の両端部がそれぞれ第１走査ドライバ３Ａおよび第２走査ドライバ３Ｂによって走査状態になされ、他の走査線Ｋ２  〜Ｋｍ  には、第１走査ドライバ３Ａおよび第２走査ドライバ３Ｂによって、逆バイアス電圧生成回路５からの逆バイアス電圧ＶＭ  が印加されている状態を示している。また、データドライバ１０における各ドライブスイッチＳａ１〜Ｓａｎは、すべて定電流源Ｉ１  〜Ｉｎ  側に接続され、走査される走査線に対応したＥＬ素子はすべて点灯される状態を示している。
【００２９】
なお、前記各ドライブスイッチＳａ１〜Ｓａｎは、前記したように走査対称となる各ＥＬ素子を点灯制御させる場合において、その陽極端子が接続されたドライブ線Ａ１  〜Ａｎ  に、定電流源Ｉ１  〜Ｉｎ  を接続するように作用する。換言すれば、前記各ドライブスイッチＳａ１〜Ｓａｎは、点灯制御しないＥＬ素子の陽極端子が接続されたドライブ線は、基準電位点に接続するように作用する。これにより、非走査状態の走査線と基準電位点に接続されたドライブ線との間に接続された各ＥＬ素子に対して逆バイアス電圧ＶＭ  を効果的に印加することができる。
【００３０】
図２に示す第１の走査電位供給手段１１および第２の走査電位供給手段１２は、走査状態における走査線の各端部間に電位差を与える電位差付与手段を構成するものであり、ここでは、第１および第２の走査電位供給手段１１，１２は、共にマイナス端子が基準電位点に接続された電池のシンボルマークで示されている。そして、図２に示す形態においては第１の走査電位供給手段１１からもたらされる走査電位ＢＬ  は固定され、第２の走査電位供給手段１２からもたらされる走査電位ＢＲ  は可変できるように構成されている。この構成により、走査状態の走査線における各端部間には“ＢＬ  −ＢＲ  ”の電位差が与えられるようになされる。
【００３１】
この場合、前記各走査線は、等価的にはそのラインに沿った単位長さごとに、ほぼ抵抗値が等しい複数の抵抗体が直列接続された構成と見なすことができる。したがって、前記したように走査線における各端部間に電位差が与えられた場合には、走査線のラインに沿って、電位傾斜が発生することになる。
【００３２】
なお、図２に示した実施の形態においては、一方の走査電位ＢＲ  を可変させることにより、ＢＲ  の値を他方の走査電位ＢＬ  よりも小さく、もしくはその逆の状態に調整することができる。したがって、走査状態の走査線において、第２走査ドライバ３Ｂ側に対して第１走査ドライバ３Ａ側の電位を高く、またその逆の状態となるように制御することができる。
【００３３】
ここで、前記データドライバ２に配置された例えばＩＣチップ化された定電流源Ｉ１  〜Ｉｎ  は、すでに説明したとおりその定電流特性にバラツキが発生し、定電流源が隣接する方向に各電流値がわずかずつ異なるいわゆる電流特性の傾斜が発生する。したがって、この様なＩＣチップを利用した場合には、表示パネルの走査線方向に沿って順次輝度が変化する輝度傾斜を発生させることになる。
【００３４】
そこで、図２に示した第２の走査電位供給手段１２からもたらされる走査電位ＢＲ  を可変させることで、走査ライン上の各素子に加わる逆バイアスの電圧が実質的に変化し、前記輝度傾斜を効果的に補正させることができる。例えば図２における第２走査ドライバ３Ｂ側が暗い輝度傾斜が発生する場合には、第２走査電位供給手段１２からもたらされる走査電位ＢＲ  を低下させる操作を行う。これにより、第２走査ドライバ３Ｂ側のＥＬ素子に加わる前記逆バイアス電圧が実質的に増大されるように作用し、前記輝度傾斜を補正することができる。
【００３５】
逆に、図２における第１走査ドライバ３Ａ側が暗い輝度傾斜が発生する場合には、第２走査電位供給手段１２からもたらされる走査電位ＢＲ  を上昇させる操作を行う。これにより、第２走査ドライバ３Ｂ側のＥＬ素子に加わる前記逆バイアス電圧が実質的に低下するように作用し、同様に前記輝度傾斜を補正することができる。
【００３６】
図２に示した実施の形態においては、第１と第２の走査電位供給手段１１，１２から成る電位差付与手段が備えられ、第２の走査電位供給手段１２からもたらされる走査電位ＢＲ  が可変できるようになされているが、これは、走査状態における走査線の各端部間に電位差を与えることができる構成であれば、同様の作用効果を得ることができる。
【００３７】
例えば、走査状態における前記走査線の一端部と基準電位点との間に電圧源が介在され、走査状態における前記走査線の他端部が基準電位点に接続される構成であっても良い。この場合、走査線の一端部と基準電位点との間に介在された前記電圧源の出力が、正電圧から負電圧にわたって連続的に可変できるものであれば、図２に示した実施の形態と全く同様の作用効果を得ることができる。さらに、第１と第２の走査電位供給手段１１，１２からもたらされる走査電位ＢＬ  ，ＢＲ  が、共に可変できるように構成されていても良い。
【００３８】
次に図３は、この発明にかかる表示パネルの駆動装置における第２の実施の形態を示したものである。なお、図３においては、すでに説明した図２に示す各構成要素に対応する部分を同一符号で示しており、したがって、その詳細な説明は適宜省略する。なお、この図３に示す実施の形態においては、前記第１および第２の走査電位供給手段１１，１２を構成する場合の他の例を示しており、第１および第２の走査電位供給手段１１，１２は、それぞれからもたらされる走査電位ＢＬ  ，ＢＲ  が互いに相反して可変できるように構成されている。
【００３９】
この図３に示す実施の形態における第１および第２の走査電位供給手段１１，１２は、共にオペアンプの出力端を反転入力端に接続したバッファアンプとして利用した構成になされている。そして、各オペアンプの非反転入力端子には、前記昇圧回路４よりもたらされる駆動電圧Ｖｏｕｔ  を、各抵抗Ｒ２１，Ｒ２２を介して導入できるように構成されると共に、各オペアンプの非反転入力端子間には、摺動端子が基準電位点に接続されたポテンションメータＲ２３の各端部が接続されている。
【００４０】
前記した構成によると、抵抗Ｒ２１とポテンションメータＲ２３による分圧出力が第１走査電位供給手段１１を構成するオペアンプに供給され、その出力が走査電位ＢＬ  として出力される。また、抵抗Ｒ２２とポテンションメータＲ２３による分圧出力が第２走査電位供給手段１２を構成するオペアンプに供給され、その出力が走査電位ＢＲ  として出力される。
【００４１】
この構成によると、第１および第２の走査電位供給手段１１，１２を構成する各オペアンプへの入力電圧は、ポテンションメータＲ２３における摺動端子の設定位置により、互いに相反するように制御される。したがって、第１および第２の走査電位供給手段１１，１２からもたらされる各走査電位ＢＬ  ，ＢＲ  の電位も同様に互いに相反するように制御される。
【００４２】
この図３に示した構成によると、前記ポテンションメータＲ２３における摺動端子の設定位置を、図３において例えば左側に摺動させた場合、すなわち、第１の走査電位供給手段１１を構成するオペアンプ側に摺動させた場合には、当該オペアンプに供給される分圧出力が低下し、これに伴って走査電位ＢＬ  が低下する。この時、逆の作用により走査電位ＢＲ  は上昇する。したがって、前記したように走査電位が互いに相反して可変できる図３に示す構成を利用しても、図２に示した実施の形態と同様の作用効果を得ることができる。
【００４３】
図４には、この発明を採用した場合において、その効果を享受することができる一つの応用例が示されている。すなわち、すでに説明したパッシブ駆動型表示パネルにおいては、走査ライン数が多い場合には、各走査線ごとの点灯駆動デューティーが低下するために、各発光素子の実質的な発光輝度が低下する。これを補償するには、発光素子の瞬間輝度を上げるために、前記した定電流源からの各電流値を上昇させる必要が生じ、これは発光素子の寿命を短縮させる結果を招く。
【００４４】
そこで、図４に示す表示パネル１に配列された走査線の数が例えば１２８本である場合には、表示パネル１に配列された全走査線を、その半分である６４本ごとに上下に分けて独立して同時に走査を実行するようになされる。この場合には、表示パネル１の上半部に配列された６４本の走査線を左右で走査する第１走査ドライバ３Ａ１と第２走査ドライバ３Ｂ１が備えられ、また、これに対応して第１のデータドライバ２Ａが配置される。一方、表示パネル１の下半部に配列された残りの６４本の走査線を左右で走査する第１走査ドライバ３Ａ２と第２走査ドライバ３Ｂ２が同様に備えられ、また、これに対応して第２のデータドライバ２Ｂも配置される。
【００４５】
前記した構成によると、前記第１データドライバ２Ａと第２データドライバ２Ｂによりドライブされる画像が、表示パネル１のほぼ中央部を区切りにして上下に隣接して表示されることになる。図４においては説明の便宜上、第１データドライバ２Ａによりドライブされる画像を符号Ｐａで示しており、第２データドライバ２Ｂによりドライブされる画像を符号Ｐｂで示している。
【００４６】
前記した構成において、第１および第２データドライバ２Ａ，２Ｂにおいて、ＩＣチップ化された定電流源をそれぞれ利用した場合には、すでに説明したとおり、各定電流源のバラツキとして電流傾斜が発生し、上半部における画像Ｐａと下半部の画像Ｐｂとの間で輝度傾斜が発生する。この輝度傾斜の状態が、表示パネル１の上半部において例えば右側が明るく、下半部において左側が明るいといった状況が発生した場合には、その輝度傾斜が際立って視覚に入るという問題が発生する。
【００４７】
すでに説明したこの発明を採用した場合によると、表示パネル１の上半部をドライブする第１走査ドライバ３Ａ１と第２走査ドライバ３Ｂ１には、前記したように第１および第２の走査電位供給手段１１，１２より、それぞれ走査電位ＢＬ  ，ＢＲ  が供給されて、走査状態の走査ラインの各端部にぞれぞれ印加されるように作用する。また、表示パネル１の下半部をドライブする第１走査ドライバ３Ａ２と第２走査ドライバ３Ｂ２においても、同様である。
【００４８】
したがって、表示パネル１の上半部において発生する輝度傾斜を走査電位供給手段１１，１２による走査電位ＢＬ  もしくはＢＲ  のいずれかを調整することで、その輝度傾斜を補正することができ、また、表示パネル１の下半部において発生する輝度傾斜も同様に補正することができる。この場合、表示パネル１の上半部と下半部のそれぞれの全体輝度の相違は、第１および第２データドライバ２Ａ，２Ｂにおけるそれぞれの定電流源の値を一括して調整することで、補正することができる。
【００４９】
また、走査電位供給手段１１，１２による走査電位ＢＬ  ，ＢＲ  のいずれもが、独立して可変できるように構成されている場合においては、表示パネル１の上半部および下半部において発生する輝度傾斜を補正すると共に、上半部と下半部のそれぞれの全体輝度の相違も同時に補正することが可能となる。
【００５０】
なお、以上説明した実施の形態は、陰極線走査・陽極線ドライブ形式を例にしているが、この発明にかかる表示パネルの駆動装置および駆動方法は、陽極線走査・陰極線ドライブ形式の表示装置にも採用することができる。
【図面の簡単な説明】
【図１】従来における表示パネルの駆動装置を示す結線図である。
【図２】この発明にかかる駆動装置における第１の実施の形態を示した結線図である。
【図３】同じく第２の実施の形態を示した結線図である。
【図４】この発明を採用した場合の応用例を示した模式図である。
【符号の説明】
１              発光表示パネル
２              データドライバ
３Ａ            第１走査ドライバ
３Ｂ            第２走査ドライバ
４              昇圧回路
５              逆バイアス電圧生成回路
６              スイッチングレギュレータ
７              誤差増幅器
８              ＰＷＭ回路
９              発振器
１１            第１走査電位供給手段（電位差付与手段）
１２            第２走査電位供給手段（電位差付与手段）
Ａ１  〜Ａｎ        ドライブ線
Ｂ１              ＤＣ電圧源
Ｄ１              ダイオード
Ｅ１１〜Ｅｎｍ      発光素子（有機ＥＬ素子）
Ｉ１  〜Ｉｎ        定電流源
Ｋ１  〜Ｋｍ        走査線
Ｌ１              インダクタ
Ｑ１              パワーＦＥＴ
Ｓａ１〜Ｓａｎ      ドライブスイッチ
Ｓｋ１Ｌ  〜ＳｋｍＬ    走査スイッチ
Ｓｋ１Ｒ  〜ＳｋｍＲ    走査スイッチ
Ｖｒｅｆ            基準電圧
【図１】
2005003837.tif 000003
【図２】
2005003837.tif 000004
【図３】
2005003837.tif 000005
【図４】
2005003837.tif 000006